(57)【要約】【課題】  シャワーホースがシャワーホース収納部内部で捩じれることがなくスムーズに収納できるとともに、従来よりもシャワーホース収納部の縦方向及び横方向の長さを抑えることができるシャワーホースの収納構造を提供することを目的とする。【解決手段】  シャワーホースガイドは、シャワーホースを収納する際、シャワーホースが接続されるシャワーホース接続部から延びるシャワーホースが斜面に当接し、シャワーホースが突出部の前方又は後方側のいずれか一方に位置する周壁に向かった後、他方に位置する周壁に向かうようにしたことを特徴とする。【選択図】  図５
2013075125.tif 000002
【特許請求の範囲】
【請求項１】
浴室壁面から突出した突出部に設けられたシャワーホースを収納するシャワーホース収納部に、前記突出部に開設された貫通孔を通して前記シャワーホースを収納するシャワーホースの収納装置において、
前記シャワーホース収納部は、前記シャワーホース収納部の底面に対して一部隆起して前記シャワーホース収納部の周壁に向かって下降する斜面が形成されるシャワーホースガイドと、を備え、
前記シャワーホースガイドは、前記シャワーホースを収納する際、前記シャワーホースが接続されるシャワーホース接続部から延びる前記シャワーホースが前記斜面に当接し、前記シャワーホースが前記突出部の前方又は後方側のいずれか一方に位置する前記周壁に向かった後、他方に位置する前記周壁に向かうようにしたことを特徴とするシャワーホースの収納装置。
【請求項２】
前記シャワーホースガイドは、前記シャワーホース収納部に前記シャワーホースを収納した状態において、前記突出部の前方側又は後方側のいずれか一方に配置される前記シャワーホースの高さが他方に配置される前記シャワーホースの高さよりも高くなるように配置することを特徴とする請求項１に記載のシャワーホースの収納装置。
【請求項３】
前記シャワーホースガイドは、前記シャワーホース収納部内の前記突出部の左右方向において、前記貫通孔の下方に位置する斜面の傾きを他方の斜面の傾きよりも大きくしたことを特徴とする請求項１又は請求項２に記載のシャワーホースの収納装置。
【請求項４】
前記シャワーホースガイドは、補助ガイドを設けることを特徴とする請求項１乃至請求項３のいずれか１項に記載のシャワーホースの収納装置。
【発明の詳細な説明】
【技術分野】
【０００１】
本発明は、浴室壁面から突出した突出部に設けられたシャワーホースを収納するシャワーホース収納部に、突出部に開設された貫通孔を通して前記シャワーホースを収納するシャワーホースの収納構造に関する発明である。
【背景技術】
【０００２】
従来のシャワーホースの収納構造には、浴室内に設けられたカウンターに開設された貫通孔を通して、カウンターの下方に設けられたシャワーホース収納部にシャワーホースを収納するものがある。このシャワーホースの収納構造は、シャワーホースをシャワーホース収納部に収納する際、シャワーホースがシャワーホース収納部内部で捩じれることがなくスムーズに収納できるようにシャワーホース収納部内にシャワーホースガイドを設けているので、シャワーホース収納部は或る程度の大きさが必要であった。
【０００３】
一方、近年、浴室内に設けられたカウンターを小さくしてほしいという要望があるので、カウンターの下方に設けられたシャワーホース収納部を小さく設計する必要があるものの、上述したように、シャワーホースがシャワーホース収納部の内部で捩じれることがなくスムーズに収納できるようにホース収納部内にシャワーホースガイドを設けなければならず、シャワーホース収納部を単純に小さく設計することができない。
【０００４】
そこで、この問題を解決するため、例えば、特許文献１の提案がなされている。この特許文献１のシャワーホースの収納構造は、カウンターの下方に設けられたシャワーホース収納部に、上端側から垂直方向にシャワーホースを出し入れでき、下端側から横方向にシャワーホースをシャワーホースガイド内に導く方向変換部を備えているので、方向変換部から横方向に導かれたシャワーホースの全長の約半分を横方向にほぼ直線状に収納している。
【０００５】
この特許文献１のシャワーホースの収納構造によって、シャワーホースをシャワーホース収納部に収納する際、シャワーホースがシャワーホース収納部内部で捩じれることがなくスムーズに収納されるように工夫されているとともに、カウンターの下方に設けられたホース収納部の縦方向の長さを抑えることができる。
【先行技術文献】
【特許文献】
【０００６】
【特許文献１】特開２００５−２４６０６８号公報（図５）
【発明の概要】
【発明が解決しようとする課題】
【０００７】
しかしながら、この特許文献１のシャワーホースの収納構造は、カウンターの下方に設けられたシャワーホース収納部の縦方向の長さを抑えることができるものの、シャワーホース収納部の横方向の長さを抑えることができない。特に、この特許文献１のシャワーホースの収納構造は、シャワーホースの全長の約半分を横方向にほぼ直線状に収納しているので、シャワーホース収納部の横方向の長さを必要以上に長くしなければならず、好ましくない。
【０００８】
そこで、本発明は、従来の技術の問題点を解決するためになされたものであり、シャワーホースがシャワーホース収納部内部で捩じれることがなくスムーズに収納できるとともに、従来よりもシャワーホース収納部の縦方向及び横方向の長さを抑えることができるシャワーホースの収納構造を提供することを目的とする。
【課題を解決するための手段】
【０００９】
上記目的を達成するために請求項１記載のシャワーホースの収納構造では、浴室壁面から突出した突出部に設けられたシャワーホースを収納するシャワーホース収納部に、前記突出部に開設された貫通孔を通して前記シャワーホースを収納するシャワーホースの収納装置において、前記シャワーホース収納部は、前記シャワーホース収納部の底面に対して一部隆起して前記シャワーホース収納部の周壁に向かって下降する斜面が形成されるシャワーホースガイドと、を備え、前記シャワーホースガイドは、前記シャワーホースを収納する際、前記シャワーホースが接続されるシャワーホース接続部から延びる前記シャワーホースが前記斜面に当接し、前記シャワーホースが前記突出部の前方又は後方側のいずれか一方に位置する前記周壁に向かった後、他方に位置する前記周壁に向かうようにしたことを特徴とする。
【００１０】
本発明によれば、シャワーホースがシャワーホース収納部内部で捩じれることがなくスムーズに収納できるとともに、シャワーホースがシャワーホース収納部の周壁に沿って纏められて収納されるので、従来よりもシャワーホース収納部の縦方向及び横方向の長さを抑えることができる。
【００１１】
より好ましくは、前記シャワーホースガイドは、前記シャワーホース収納部に前記シャワーホースを収納した状態において、前記突出部の前方側又は後方側のいずれか一方に配置される前記シャワーホースの高さが他方に配置される前記シャワーホースの高さよりも高くなるように配置することを特徴とする。
【００１２】
本発明によれば、突出部の前方側又は後方側のいずれか一方に配置されるシャワーホースの高さが他方に配置されるシャワーホースの高さよりも高くなるように配置するので、前方側のシャワーホースの高さと後方側のシャワーホースの高さを同程度にした場合よりもシャワーホース収納部内にシャワーホースを長く収納することが可能になり、シャワーホース収納部の縦方向及び横方向の長さをより抑えることができる。
【００１３】
より好ましくは、前記シャワーホースガイドは、前記シャワーホース収納部内の前記突出部の左右方向において、前記貫通孔の下方に位置する斜面の傾きを他方の斜面の傾きよりも大きくしたことを特徴とする。
【００１４】
本発明によれば、貫通孔の下方に位置する斜面の傾きを他方の斜面の傾きよりも大きくすることにより、シャワーホース収納部にシャワーホースを収納する際、よりスムーズにシャワーホース収納部にシャワーホースを収納できる。また、貫通孔の下方に位置する斜面の傾きよりも他方の斜面の傾きを小さくすることにより、シャワーホース収納部からシャワーホースを引き出しやすくなる。
【００１５】
より好ましくは、前記シャワーホースガイドは、補助ガイドを設けることを特徴とする請求項１又は２に記載のシャワーホースの収納構造である。
【００１６】
本発明によれば、シャワーホースガイドが補助ガイドを設けるので、シャワーホース収納部にシャワーホースを収納する際、シャワーホースをシャワーホース収納部内で周回させることが可能になり、シャワーホースの動きをより良好にすることができる。
【発明の効果】
【００１７】
本発明によれば、シャワーホースがシャワーホース収納部内部で捩じれることがなくスムーズに収納できるとともに、従来よりもシャワーホース収納部の縦方向及び横方向の長さを抑えることができるシャワーホースの収納構造を提供することができる。
【図面の簡単な説明】
【００１８】
【図１】シャワーホース収納部を設けた浴室全体を示した概略図
【図２】シャワーホース収納部の構成部材を示す斜視図
【図３】シャワーホースガイドを示す外観斜視図
【図４】シャワーヘッド係止部を示す外観斜視図及び断面図
【図５】シャワーホースがシャワーホース収納部に収まった状態を示す斜視図
【図６】シャワーホース収納時のシャワーホースの動きを示した模式図
【発明を実施するための形態】
【００１９】
以下、本発明の実施例を図面に基づいて具体的に説明する。図１は、シャワーホース収納部を設けた浴室全体を示した概略図である。図２は、シャワーホース収納部の構成部材を示す斜視図である。図３は、シャワーホースガイドを示す外観斜視図である。図４は、シャワーヘッド係止部を示す外観斜視図及び断面図である。図５は、シャワーホースがシャワーホース収納部に収まった状態を示す斜視図である。図６は、シャワーホース収納時のシャワーホースの動きを示した模式図である。
【００２０】
図１に示すように、浴室壁面から突出した突出部に設けられたシャワーホース収納部１０は、浴室壁面１に取り付けられるものである。このシャワーホース収納部１０は、図２に示すように、上面のカウンター１１と、左右それぞれに設置される側面板１２と、使用者側に設置される正面板１３と、浴室壁面１側の背面板１４と、底板１５から構成される。そして、それぞれの構成品を組み立てることによって、内部に形成された空間にシャワーホース３やシャワーホースガイド３０等が収納されるようになっている。また、シャワーホース収納部１０の内部空間には、湯、水を混合するための混合バルブや湯、水の混合水を吐止水するための開閉バルブやカランへの吐水やシャワーヘッド２への吐水を切替えるための切替バルブを備えた水栓本体（図示しない）も収納されている。
【００２１】
カウンター１１は、合成樹脂材で略直方体形状に形成されたものである。カウンター１１の幅方向の端部側近くで、奥行き方向のほぼ中央部に位置する部分に厚さ方向に貫通孔１６が設けられている。そして、この貫通孔１６には、シャワーヘッド２が着脱自在に取り付けられるためのシャワーヘッド係止部２０が設けられる。（図２）側面板１２、背面板１４、正面板１３、底板１５は、合成樹脂製の略板状部材で、カウンター１１を含めたそれぞれの部材を板状の支持材（図示しない）などを利用してビス等の固定具（図示しない）で接合して組み立てシャワーホース収納部１０を形成することになる。
【００２２】
シャワーホースガイド３０は、図３に示すように底部側から鉛直方向において上方に向かって隆起するような形状に形成されていて、底部側であってカウンター１１の前方側には谷溝部３１、上部側であってカウンター１１の後方側には山溝部３２が設けられている。この谷溝部３１、山溝部３２はシャワーホース３の外径より若干大きな内径の溝形状となっている。（図３（ａ））また、谷溝部３１から山溝部３２にかけて４５〜６０度の急な傾斜を有する第一斜面３３が設けられている。そして、第一斜面３３には水栓本体（図示しない）から延びるシャワーホース３が挿通される横長のホース開口部３４が設けられている。尚、シャワーホースガイド３は、隆起した頂点からの谷溝３１の距離と隆起した頂点からの山溝部３２の距離は、隆起した頂点からの谷溝３１の距離のほうが長いように構成されている。
【００２３】
シャワーホースガイド３０の山溝部３２の両端部にはそれぞれ第二斜面３５、第三斜面３６が設けられている。第二斜面３５はシャワーホース３を引き出ししやすくするためにシャワーホースガイド３０の全高の約１／２の高さから山溝部３２の端部にかけて緩やかな円弧状の斜面に形成されている。そして、第三斜面３６はシャワーホース３を収納しやすくするために第二斜面３５よりも勾配が急な斜面に形成されている。（図３（ｂ））さらに、第三斜面３６の上部から第一斜面（符号）側に張り出すように補助ガイド３７が取り付けられている。この補助ガイド３７は円弧状の薄板であり、第三斜面３６でのシャワーホース３の動きをより円滑にするための補助をすることと、シャワーホース３を収納する際、シャワーホース３が山溝部３２へ確実に収まるように設けられている。
【００２４】
カウンター１１に取り付けられるシャワーヘッド係止部２０は、図４に示すようにシャワーヘッド２を係止する台座２１と、台座２１をカウンター１１に取り付けるためのナット２２と、シャワーホース３を引き出す際の動きを良好にするためのシャワーホース案内部材２３で構成されている。台座２１は、略円筒状に形成されており、内部はシャワーヘッド２とシャワーホース３を連接するシャワーヘッド接続具４が係止されるとともに、シャワーホース３が挿通される台座挿通孔２４が設けられている。また、外周部にはナット２２及びシャワーホース案内部材２３と螺合するために雄螺子（図示しない）が形成されている。シャワーホース案内部材２３は、前述したようにシャワーホース３を引き出す際の動きを良好にするための部材であり、内部にはシャワーホース３が挿通される挿通孔２５が設けられている。挿通孔２５は、前述の台座挿通孔２４とほぼ同じ孔径で形成されており、所定の位置から拡径する拡径挿通部２６が設けられている。そのため、シャワーホース３を引き出す際、シャワーホース３が挿通孔２５と接触して引っ掛かることが防ぎ、シャワーホース３の引き出しを良好にしている。
【００２５】
前述のようなカウンター１１、シャワーホース収納部１０、シャワーヘッド係止部２０、シャワーホース３は以下のような手順で組み立てられる。まず、浴室壁面１の所定位置にカウンター１１や底板１５を支持するカウンター支持金具（図示しない）、底板支持金具（図示しない）をそれぞれ取り付ける。この底板支持金具（図示しない）に底板１５を載せてビス等の固定具（図示しない）を用いて底板支持金具（図示しない）に固定する。このときに底板１５と背面板１４も同時に固定するようにしている。また、背面板１４はカウンター１１を支持するカウンター支持金具（図示しない）にも同様にして固定される。底板１５を底板支持金具（図示しない）に固定した後、底板１５の上にシャワーホースガイド３０を所定の位置に載置する。
【００２６】
次に、カウンター１１をカウンター支持金具（図示しない）に仮置きした後、カウンター１１に設けた貫通孔１６にシャワーヘッド係止部２０の台座２１を上面側から挿通させ裏面側からナット２２で螺合させてカウンター１１に固定する。その後、シャワーホース案内部材２３を裏面側から台座２１に螺合させて固定して、シャワーヘッド２が取り付けられたシャワーホース３の水栓本体（図示しない）に接続する端部側（図示しない）を台座挿通孔２４に挿入する。台座挿通孔２４に挿入されたシャワーホース３はシャワーホースガイド３０のホース開口部３４を通ってシャワーホース接続部（図示しない）に接続される。接続後のシャワーホース３は谷溝部３１、第二斜面３５、山溝部３２、第三斜面３６上にとぐろ状に配置される。
【００２７】
その後、カウンター１１をカウンター支持具（図示しない）に前述の底板１５と同様の方法で固定する。カウンター１１を固定後は、側面板１２、正面板１３をほぼ同様の固定方法で固定する。前述のようにして組み立てられたシャワーホース収納部１０にシャワーホースガイド３０、シャワーホース３は図５のように収められるとともに、シャワーヘッド係止部２０はカウンター１１に取り付けられ、そのシャワーヘッド係止部２０にシャワーヘッド２が係止される。
【００２８】
次に、図６に示すようにシャワーヘッド２を引き出す際のシャワーホース３の動きについて以下に説明する。例えば、引出し長さが１６００ｍｍのシャワーホース３を用いた場合、図６（ａ）に示すとおりシャワーヘッド２がシャワーヘッド係止部２０に係止された状態から５００ｍｍ程度シャワーヘッド２を引き出すと、図６（ｂ）のように谷溝部３１に積み重なった上側のシャワーホース３が引き出される。
【００２９】
さらに、１００ｍｍ程度シャワーヘッド２を引き出すと図６（ｂ）から図６（ｃ）のようにシャワーホース３が補助ガイド３７を乗り越え、第三斜面３６を谷溝部３１から山溝部３２に向かって上るように引き出される。さらに、３００ｍｍ程度シャワーヘッド２を引き出すと図６（ｃ）から図６（ｄ）のようになり、さらに５００ｍｍ程度シャワーホース３を引き出すと、図６（ｄ）から図６（ｅ）で示すように、山溝部３２に配置されているシャワーホース３が引き出され、第二斜面３５に引っ掛かっていたシャワーホース３の円弧部分が小さくなっていく。そこからさらに、２００ｍｍ程度シャワーホース３を引き出すと、図６（ｆ）のようにシャワーホース３がすべて引き出された状態になるが、シャワーホース３はホース開口部３４を通して接続された水栓本体のシャワーホース接続部（図示しない）と固定されているため、所定の長さ以上は引き出せないようになっている。
【００３０】
次に、シャワーヘッド２をシャワーホース収納部１０に納める際のシャワーホース３の動きについて説明する。図６（ｆ）に示すように、シャワーホース３を十分引き出した状態では、シャワーホース３はシャワーヘッド係止部２０とホース開口部３４を通して接続されている。その状態からシャワーホース３をシャワーヘッド係止部２０に向かって２００ｍｍ程度下方向に挿入すると、シャワーホース３は図６（ｅ）のように山溝部３２に沿って配置される。この際、補助ガイド３７があることで、シャワーホース３は谷溝部３１へ落ち込むことなく、確実に山溝部３２に配置され、さらに５００ｍｍ程度シャワーホース３を挿入すると、図６（ｅ）から図６（ｄ）で示すように側面板１２に向かって円弧を描くように収まる。この円弧が側面板１２に当接し、そこからさらに４００ｍｍ程度シャワーホース３を挿入すると、図６（ｄ）から図６（ｃ）、図（ｂ）のように、山溝部３２に沿うように、他方の側面板１２に向かってシャワーホース３が進む。この際、シャワーホース３はシャワーホース収納部１０を構成する背面板１４、側面板１２、正面板１３の周壁を形成する３つの内壁と、補助ガイド３７に囲まれたスペースをシャワーホースガイド３０に沿うように斜面を下り、さらに５００ｍｍ程度シャワーホース３を挿入すると、図６（ａ）にしめすように、シャワーホース３はシャワーホースガイド３０に沿うようにしてとぐろ状に収まる。尚、本発明のシャワーホース３の収納装置は、シャワーホース３を収納する際、シャワーホース接続部から延びるシャワーホース３が斜面に当接し、シャワーホース３がカウンターの前方又は後方側のいずれか一方に位置する周壁に向かった後、他方に位置する周壁に向かうようにしているが、シャワーホース接続部から延びるシャワーホース３が斜面に当接して周壁に向かった後、シャワーホースが周壁に沿って反対側の周壁に向かうようにしても良いものとする。
【００３１】
通常、シャワーホース３をとぐろ状に箱の中に収めるためには、ホースの最低屈曲半径を確保した直径分の奥行きが必要であるが、本発明では、この必要寸法を高低差のある谷溝部３１と山溝部３２、またそれらをつなぐ第一斜面３３を有するシャワーホースガイド３０を用いることで確保し、シャワーホース収納部１０の省スペース化を実現した。また、カウンター１１に設けられたシャワーヘッド係止部２０にシャワーホース３を挿入する際、そのほぼ真下に設けられたシャワーホースガイド３０の急な斜面の第二斜面３５を用いることで、シャワーホース３を下向きに挿入する力をシャワーホース３を収納する動作に変え、より少ない力でスムーズに収納することを実現した。急な斜面は、挿通孔２５の真下に設けられていればよく左右方向でなく前後方向でもよい。
【００３２】
また、これまでシャワーホース収納部１０は、浴室壁面１に設けられたカウンター１１上面部にシャワーヘッド２が着脱自在に取り付けられる場合について述べてきたが、これに限定されることなく、浴槽の上面淵にシャワーヘッド２が着脱自在に取り付けられる場合についても同様のことが言える。また、シャワーホースガイド３０は、図３に示すものでなくても、底部側から鉛直方向において上方に向かって隆起するような形状（例えば円錐状）に形成されていて、シャワーホース３をとぐろ状に箱の中に収めるようにしていても良い。
【符号の説明】
【００３３】
１      浴室壁面
２      シャワーヘッド
３      シャワーホース
４      シャワーヘッド接続具
１０    シャワーホース収納部
１１    カウンター
１２    側面板
１３    正面板
１４    背面板
１５    底板
１６    貫通孔
２０    シャワーヘッド係止部
２１    台座
２２    ナット
２３    シャワーホース案内部材
２４    台座挿通孔
２５    挿通孔
２６    拡径挿通部
３０    シャワーホースガイド
３１    谷溝部
３２    山溝部
３３    第一斜面
３４    ホース開口部
３５    第二斜面
３６    第三斜面
３７    補助ガイド
【図１】
2013075125.tif 000003
【図２】
2013075125.tif 000004
【図３】
2013075125.tif 000005
【図４】
2013075125.tif 000006
【図５】
2013075125.tif 000007
【図６】
2013075125.tif 000008